(57)【要約】【課題】より薄型化を可能にし且つ拡散板の特性変化の補償をも可能にする。【解決手段】輝度センサ７は、拡散板４の側面に対向し、拡散板４の側面から漏洩する光を検出する。輝度センサ７で検出した光の強さに応じてバックライト５の輝度を調整する。【効果】輝度センサ７が拡散板４の側面側に配置されているため、液晶表示装置１００の薄型化を図ることが出来る。輝度センサ７は、拡散板４によって拡散された光を検出するため、拡散板４の拡散特性が温度変化や経時変化しても、それら特性変化の補償をも含めてバックライト５の輝度を調整することが出来る。【選択図】  図１
2004163479.tif 000002
【特許請求の範囲】
【請求項１】
液晶パネルと、前記液晶パネルの背面に設けられたバックライトと、前記液晶パネルと前記バックライトの間に介設され前記バックライトからの光を拡散して前記液晶パネルの背面に照射する拡散板と、前記拡散板の側面側に配置され前記拡散板の側面から漏洩する光を検出する光検出手段と、前記光検出手段で検出した光の強さに応じて前記バックライトの輝度を調整する制御手段とを具備することを特徴とする液晶表示装置。
【請求項２】
請求項１に記載の液晶表示装置において、前記液晶パネルの温度を検出する温度検出手段を具備すると共に、前記制御手段は、前記温度検出手段で検出した温度に応じて前記バックライトの輝度を調整することを特徴とする液晶表示装置。
【発明の詳細な説明】
【０００１】
【発明の属する技術分野】
本発明は、液晶表示装置に関し、さらに詳しくは、より薄型化を可能にし且つ拡散板の特性変化の補償も可能にした液晶表示装置に関する。
【０００２】
【従来の技術】
特開平１０−２２２０８４号公報や特開平１０−２２２１２９号公報には、液晶パネルと、液晶パネルの背面に設けられたバックライト（蛍光管＋導光板）と、液晶パネルとバックライトの間に介設されバックライトからの光を拡散して均一に液晶パネルの背面に照射する拡散板と、バックライトの背面側に配置されバックライトの背面から漏洩する光を検出する光センサと、光センサで検出した光の強さに応じてバックライトを駆動するインバータとを具備した液晶表示装置が開示されている。
【０００３】
また、本願出願人は、液晶パネルの特性の温度変化を補償可能にした液晶表示装置を特願２００１−１１９３１８号において出願している。
【０００４】
【発明が解決しようとする課題】
液晶表示装置は、可能な限り薄型化することが求められるが、バックライトの背面に光センサを設けた場合、背面側に光センサの厚みが加わることになり、薄型化の妨げになる問題点がある。
また、拡散板の特性は温度変化したり経時変化したりするが、バックライトの背面に光センサを設けた場合、拡散板の特性変化を検出できないため、拡散板の特性変化を補償できない問題点がある。
そこで、本発明の目的は、薄型化を可能にし且つ拡散板の特性変化の補償も可能にした液晶表示装置を提供することにある。
【０００５】
【課題を解決するための手段】
第１の観点では、本発明は、液晶パネルと、前記液晶パネルの背面に設けられたバックライトと、前記液晶パネルと前記バックライトの間に介設され前記バックライトからの光を拡散して前記液晶パネルの背面に照射する拡散板と、前記拡散板の側面側に配置され前記拡散板の側面から漏洩する光を検出する光検出手段と、前記光検出手段で検出した光の強さに応じて前記バックライトの輝度を調整する制御手段とを具備することを特徴とする液晶表示装置を提供する。
上記第１の観点による液晶表示装置では、拡散板の側面側に光検出手段を配置するため、厚みが増さず、薄型化が可能になる。さらに、拡散板を通った光は拡散板の特性変化を含んだ光であるため、拡散板の特性変化の補償も可能となる。
【０００６】
第２の観点では、本発明は、上記構成の液晶表示装置において、前記液晶パネルの温度を検出する温度検出手段を具備すると共に、前記制御手段は、前記温度検出手段で検出した温度に応じて前記バックライトの輝度を調整することを特徴とする液晶表示装置を提供する。
上記第２の観点による液晶表示装置では、液晶パネルの特性の温度変化を補償することも可能となる。
【０００７】
【発明の実施の形態】
以下、図に示す実施形態により本発明をさらに詳細に説明する。なお、これにより本発明が限定されるものではない。
【０００８】
図１は、本発明の一実施形態による液晶表示装置１００のブロック図である。
この液晶表示装置１００は、液晶パネル３と、液晶パネル３の背面に設けられたバックライト５と、液晶パネル３とバックライト５の間に介設されバックライト５からの光を拡散して液晶パネル３の背面に照射する拡散板４と、拡散板４の側面側に配置され拡散板４の側面から漏洩する光を検出する輝度センサ７と、液晶パネル３の温度を検出する温度センサ３０と、パーソナルコンピュータなどの上位装置からの信号に基づいて液晶パネル３を駆動すると共に輝度センサ７で検出した光の強さ及び温度センサ３０で検出した温度に応じてバックライト５の輝度を調整する駆動制御回路４０と、液晶表示装置１００の電源をオン／オフするための電源スイッチ４１と、液晶表示装置１００の表示輝度を調節するなどの操作を行うための操作スイッチ４２とを具備している。
【０００９】
液晶パネル３、バックライト５、拡散板４、温度センサ３０などは、液晶表示ユニット１として、一体化されている。
【００１０】
図２は、液晶表示ユニット１と輝度検出部２０とベース部１２の要部断面図である。
液晶表示ユニット１は、シャーシ２に、液晶パネル３と、拡散板４と、バックライト５と、反射板６と、温度センサ３０とを一体的に取り付けたものである。
【００１１】
輝度検出部２０は、輝度センサ７と、輝度センサ７を保持するセンサ基板８と、センサ基板８を保持すると共にセンサ取付部材９と、ウレタンシート１０とからなっており、センサ取付部材９によりベース部１２に取り付けられる。
【００１２】
液晶表示ユニット１と、輝度検出部２０を取り付けたベース部１２とを一体化すれば、輝度センサ７は、拡散板４の側面に対向し、拡散板４の側面から漏洩する光を検出できるようになる。
また、ウレタンシート１０は、シャーシ２とセンサ取付部材９の隙間を埋め、拡散板４と輝度センサ７の間隔を一定に規定すると共に、センサ取付部材９のぐらつきを防止する。
なお、ウレタンシート１０は、緩衝機能を有する外のクッション材を用いてもよい。
【００１３】
図３は、液晶表示装置１００の分解斜視図である。
液晶表示装置１００は、フロントカバー１１と、液晶表示ユニット１と、ベース部１２と、駆動制御回路４０等を搭載したドライバ基板１３と、バックカバー１４とを一体的に組み立てたものである。
輝度センサ７，センサ基板８，センサ取付部材９，ウレタンシート１０からなる輝度検出部２０は、ベース部１２に取り付けられている。
【００１４】
上記液晶表示装置１００によれば、輝度検出部２０が拡散板４の側面側に配置されているため、液晶表示装置１００の薄型化を図ることが出来る。
また、輝度センサ７は、拡散板４によって拡散された光を検出するため、拡散板４の拡散特性が温度変化や経時変化しても、それら特性変化の補償をも含めてバックライト５の輝度を調整することが出来る。
さらに、温度センサ３０が液晶パネル３の温度を検出するため、液晶パネル３の温度特性の補償をも含めてバックライト５の輝度を調整することが出来る。
【００１５】
【発明の効果】
本発明の液晶表示装置によれば、拡散板の側面側に光検出手段を配置するため、厚みが増さず、薄型化が可能になる。また、拡散板を通った光は拡散板の特性変化を含んだ光であるため、拡散板の特性変化の補償も可能となる。
【図面の簡単な説明】
【図１】本発明の一実施形態に係る液晶表示装置を示すブロック図である。
【図２】本発明の一実施形態に係る液晶表示ユニットと輝度検出部とベース部を示す要部断面図である。
【図３】本発明の一実施形態に係る液晶表示装置の分解斜視図である。
【符号の説明】
１          液晶表示ユニット
２          シャーシ
３          液晶パネル
４          拡散板
５          バックライト
６          反射板
７          輝度センサ
８          センサ基板
９          センサ取付部材
１０        ウレタンシート
１２        ベース部
２０        輝度検出部
１００      液晶表示装置
【図１】
2004163479.tif 000003
【図２】
2004163479.tif 000004
【図３】
2004163479.tif 000005